(57)【特許請求の範囲】
【請求項１】
現場作業員が携帯する端末装置を用いた進路の設定を支援する線路保守作業支援システムにおいて、
入力操作が可能な表示部を備え、該表示部の表示画面に表示された配線略図上の信号てこが選択されることに応じて進路設定要求及び転換実行要求を送信すると共に受信した情報を前記表示部に表示する端末装置と、
前記端末装置から進路設定要求を受信した場合、予め設定された連動図表情報に基づき要求された進路に連動して転換される分岐器若しくは転てつ器の情報を前記端末装置に送信して表示させ、前記端末装置から転換実行要求を受信した場合、前記分岐器若しくは転てつ器の転換指示を列車集中制御装置に送信する保守用制御サーバと、
を備えることを特徴とする線路保守作業支援システム。
【請求項２】
前記保守用制御サーバは、前記連動図表情報に基づき連動して転換される分岐器若しくは転てつ器の転換が定位若しくは反位のどちらであるかの情報を併せて前記端末装置に送信することを特徴とする請求項１記載の線路保守作業支援システム。
【請求項３】
現場作業員が携帯する端末装置を用いた進路の設定を支援する線路保守作業支援システムにおいて、
入力操作が可能な表示部を備え、該表示部の表示画面に表示された配線略図上の信号てこが選択されることに応じて進路設定要求が操作された場合、予め設定された連動図表情報に基づき要求された進路に連動して転換される分岐器若しくは転てつ器の情報を表示部に表示させ、当該進路の転換実行要求が入力操作された場合、前記情報と共に前記転換実行要求を送信する端末装置と、
前記端末装置から前記情報及び前記転換実行要求を受信した場合、前記情報に基づき連動して転換される分岐器若しくは転てつ器の転換指示を列車集中制御装置に送信する保守用制御サーバと、
を備えることを特徴とする線路保守作業支援システム。
【請求項４】
前記端末装置は、前記連動図表情報に基づき連動して転換される分岐器若しくは転てつ器の転換が定位若しくは反位のどちらであるかの情報を前記表示部に併せて表示させることを特徴とする請求項３記載の線路保守作業支援システム。
【請求項５】
前記端末装置は、前記連動図表情報に基づき連動して転換される分岐器若しくは転てつ器の転換が定位若しくは反位であるかによって色分け表示させることを特徴とする請求項２又は４に記載の線路保守作業支援システム。
【請求項６】
前記保守用制御サーバは、前記連動図表情報に基づき要求された進路に連動して転換される分岐器若しくは転てつ器の情報を前記保守用制御サーバの表示部に表示させることを特徴とする請求項１から５のいずれか一項に記載の線路保守作業支援システム。
【請求項７】
前記保守用制御サーバは、前記連動図表情報に基づき連動して転換される分岐器若しくは転てつ器の転換が定位若しくは反位のどちらであるかの情報を前記保守用制御サーバの表示部に表示させることを特徴とする請求項１から６のいずれか一項に記載の線路保守作業支援システム。
【請求項８】
前記端末装置は、前記信号てこに対する入力操作の有効範囲を表示させることを特徴とする請求項１から７のいずれか一項に記載の線路保守作業支援システム。
【発明の詳細な説明】
【技術分野】
【０００１】
本発明は、鉄道における保守作業時の進路設定要求に際して安全性を向上させると共に作業効率を向上させることができる線路保守作業支援システムに関する。
【背景技術】
【０００２】
従来の列車集中制御装置（ＣＴＣ：Centralized Traffic Control）による管理区間の線路保守作業では、現場作業員と輸送指令員との間で打ち合わせを行い、輸送指令員が列車集中制御装置を操作して、他の列車が侵入しないための線路閉鎖や分岐器転換等の措置を行っている。
【０００３】
但し、このような措置は、輸送指令員の注意力に依存しているため人為的瑕疵が生じるおそれがある。
【０００４】
このため、保守作業の計画等を予めサーバに登録しておき、保守作業の実施時には現場作業員が携帯可能な端末装置（例えば、タブレット端末等）を用いて進路設定要求をサーバに送信して、直接進路の設定を行うことにより人為的瑕疵を排除して安全性を向上させる線路保守作業支援サーバ及びシステム等が開示されている（例えば、特許文献１参照）。
【先行技術文献】
【特許文献】
【０００５】
【特許文献１】特許第３８８１９６８号公報
【発明の概要】
【発明が解決しようとする課題】
【０００６】
しかしながら、特許文献１の線路保守作業支援システムでは、特定の分岐器や転てつ器（以下、分岐器等と呼ぶ。）の転換を行う場合には、転換を行いたい特定の分岐器等のみを直接制御することができず、転換を行いたい分岐器等が含まれる進路の信号てこを操作しなければならない。
また、信号システム（連動理論）上、ある信号てこを操作した場合、無関係な他の信号てこの分岐器等も転換されてしまう場合がある。
【０００７】
このため、当該信号てこの操作により、転換を行いたい特定の分岐器等のみならず、連動する他の分岐器等も転換されることになり、他の分岐器等の近傍で作業や待避をしている現場作業員に危険がおよぶ可能性があるといった問題点があった。
【０００８】
本発明の課題は、保守作業時の進路設定要求に際して安全性を向上させると共に作業効率を向上させることができる線路保守作業支援システムを提供することにある。
【課題を解決するための手段】
【０００９】
上記課題を達成するため、この発明は、
現場作業員が携帯する端末装置を用いた進路の設定を支援する線路保守作業支援システムにおいて、
入力操作が可能な表示部を備え、該表示部の表示画面に表示された配線略図上の信号てこが選択されることに応じて進路設定要求及び転換実行要求を送信すると共に受信した情報を前記表示部に表示する端末装置と、
前記端末装置から進路設定要求を受信した場合、予め設定された連動図表情報に基づき要求された進路に連動して転換される分岐器若しくは転てつ器の情報を前記端末装置に送信して表示させ、前記端末装置から転換実行要求を受信した場合、前記分岐器若しくは転てつ器の転換指示を列車集中制御装置に送信する保守用制御サーバと、
を備えるようにしたものである。
【００１０】
進路設定のために、端末装置の表示部の表示画面上の信号てこを選択することにより、予め設定された連動図表情報に基づき、当該進路設定より連動して転換される全ての分岐器等の情報が表示部に表示されるので、意図しない分岐器等の転換を事前に把握することができ、保守作業時の進路設定要求に際して安全性を向上させることができる。
また、連動して転換される全ての分岐器等、具体的には、要求した進路に直接関係（意図しない）しない分岐器等が識別できることにより、少ない信号てこの選択だけで、多くの信号てこを選択した場合と同じ分岐器等の転換を実行できる場合を認識できるので、不必要な信号てこの選択操作が削減できて、保守作業の作業効率を向上させることができる。
【００１１】
また、望ましくは、前記保守用制御サーバは、前記連動図表情報に基づき連動して転換される分岐器若しくは転てつ器の転換が定位若しくは反位のどちらであるかの情報を併せて前記端末装置に送信するようにしたものである。
連動して転換される全ての分岐器等の転換方向（定位、或いは、反位）の情報が表示部に表示されるので、意図しない分岐器等の転換方向を事前に把握することができ、保守作業時の進路設定要求に際して安全性を向上させることができる。
また、連動して転換される全ての分岐器等、具体的には、要求した進路に直接関係（意図しない）しない分岐器等が識別できることにより、少ない信号てこの選択だけで、多くの信号てこを選択した場合と同じ分岐器等の転換を実行できる場合を認識できるので、不必要な信号てこの選択操作が削減できて、保守作業の作業効率を向上させることができる。
【００１２】
また、本出願の他の発明は、
現場作業員が携帯する端末装置を用いた進路の設定を支援する線路保守作業支援システムにおいて、
入力操作が可能な表示部を備え、該表示部の表示画面に表示された配線略図上の信号てこが選択されることに応じて進路設定要求が操作された場合、予め設定された連動図表情報に基づき要求された進路に連動して転換される分岐器若しくは転てつ器の情報を表示部に表示させ、当該進路の転換実行要求が入力操作された場合、前記情報と共に前記転換実行要求を送信する端末装置と、
前記端末装置から前記情報及び前記転換実行要求を受信した場合、前記情報に基づき連動して転換される分岐器若しくは転てつ器の転換指示を列車集中制御装置に送信する保守用制御サーバと、
を備えるようにしたものである。
【００１３】
進路設定のために、端末装置の表示部の表示画面上の信号てこを選択することにより、予め設定された連動図表情報に基づき、当該進路設定より連動して転換される全ての分岐器等の情報が表示部に表示されるので、意図しない分岐器等の転換を事前に把握することができ、保守作業時の進路設定要求に際して安全性を向上させることができる。
また、連動して転換される全ての分岐器等、具体的には、要求した進路に直接関係（意図しない）しない分岐器等が識別できることにより、少ない信号てこの選択だけで、多くの信号てこを選択した場合と同じ分岐器等の転換を実行できる場合を認識できるので、不必要な信号てこの選択操作が削減できて、保守作業の作業効率を向上させることができる。
さらに、端末装置側に予め設定された連動図表情報に基づき進路設定より連動して転換する全ての分岐器等の情報が表示部に表示されるので、保守用制御サーバの負荷を低減することができる。
【００１４】
また、望ましくは、前記端末装置は、前記連動図表情報に基づき連動して転換される分岐器若しくは転てつ器の転換が定位若しくは反位のどちらであるかの情報を前記表示部に併せて表示させるようにしたものである。
連動して転換される全ての分岐器等の転換方向（定位、或いは、反位）の情報が表示部に表示されるので、意図しない分岐器等の転換方向を事前に把握することができ、保守作業時の進路設定要求に際して安全性を向上させることができる。
また、連動して転換される全ての分岐器等、具体的には、要求した進路に直接関係（意図しない）しない分岐器等が識別できることにより、少ない信号てこの選択だけで、多くの信号てこを選択した場合と同じ分岐器等の転換を実行できる場合を認識できるので、不必要な信号てこの選択操作が削減できて、保守作業の作業効率を向上させることができる。
さらに、端末装置側に予め設定された連動図表情報に基づき進路設定より連動して転換される全ての分岐器等の変換方向の情報が表示部に表示されるので、保守用制御サーバの負荷を低減することができる。
【００１５】
また、望ましくは、前記端末装置は、前記連動図表情報に基づき連動して転換される分岐器若しくは転てつ器の転換が定位若しくは反位であるかによって色分け表示させるようにしたものである。
連動して転換される全ての分岐器等の転換方向（定位、或いは、反位）の情報が表示部に色分け表示されるので、意図しない分岐器等の転換方向を事前に把握することができ、保守作業時の進路設定要求に際して安全性を向上させることができる。
また、連動して転換される全ての分岐器等、具体的には、要求した進路に直接関係（意図しない）しない分岐器等が識別できることにより、少ない信号てこの選択だけで、多くの信号てこを選択した場合と同じ分岐器等の転換を実行できる場合を認識できるので、不必要な信号てこの選択操作が削減できて、保守作業の作業効率を向上させることができる。
【００１６】
また、望ましくは、前記保守用制御サーバは、前記連動図表情報に基づき要求された進路に連動して転換される分岐器若しくは転てつ器の情報を前記保守用制御サーバの表示部に表示させるようにしたものである。
保守用制御サーバ側でも、進路設定より連動して転換される全ての分岐器等の情報が表示部に表示されるので、進路設定より連動して転換する全ての分岐器等を把握できる。
【００１７】
また、望ましくは、前記保守用制御サーバは、前記連動図表情報に基づき連動して転換される分岐器若しくは転てつ器の転換が定位若しくは反位のどちらであるかの情報を前記保守用制御サーバの表示部に表示させるようにしたものである。
保守用制御サーバ側でも、進路設定より連動して転換される全ての分岐器等の転換方向の情報が表示部に表示されるので、進路設定より連動して転換される全ての分岐器等の転換方向を把握できる。
【００１８】
また、望ましくは、前記端末装置は、前記信号てこに対する入力操作の有効範囲を表示させるようにしたものである。
特定の信号てこに対するタップ等の操作の有効範囲が分かるので、隣接する他の信号てこを操作してしまうことを防止できるので、タップミスによる誤操作を抑制でき、保守作業時の進路設定要求に際して安全性を向上させると共に作業効率を向上させることができる。
【発明の効果】
【００１９】
本発明によれば、現場作業員が携帯する端末装置を用いて直接進路の設定を行う線路保守作業支援システムにおいて、表示部の表示画面上の信号てこを選択した進路設定要求及び転換実行要求を送信すると共に受信した情報を表示部に表示する端末装置と、端末装置から進路設定要求を受信した場合、予め設定された連動図表情報に基づき要求された進路に連動して転換される分岐器や転てつ器の情報を端末装置に送信して表示させ、端末装置から転換実行要求を受信した場合、分岐器や転てつ器の転換指示を列車集中制御装置に送信する保守用制御サーバとを備えることにより、予め設定された連動図表情報に基づき、当該進路設定より連動して転換される全ての分岐器等の情報が表示部に表示されるので、意図しない分岐器等の転換を事前に把握することができ、保守作業時の進路設定要求に際して安全性を向上させることができる。
【００２０】
また、連動して転換される全ての分岐器等、具体的には、要求した進路に直接関係（意図しない）しない分岐器等が識別できることにより、少ない信号てこの選択だけで、多くの信号てこを選択した場合と同じ分岐器等の転換を実行できる場合を認識できるので、不必要な信号てこの選択操作が削減できて、保守作業の作業効率を向上させることができる。
【図面の簡単な説明】
【００２１】
【図１】本実施の形態に係る線路保守作業支援システムの構成の一例を示す概略構成図である。
【図２】端末装置の動作の一例を示すフローチャートである。
【図３】端末装置の表示部の表示画面の一例を示す説明図である。
【図４】進路設定時の端末装置の表示部の表示画面の一例を示す説明図である。
【図５】連動表の一例を示す説明図である。
【図６】保守用制御サーバの動作の一例を示すフローチャートである。
【図７】端末装置の表示部の表示画面の他の一例を示す説明図である。
【図８】信号てこに対する操作の有効範囲を明示する一例を示す説明図である。
【発明を実施するための形態】
【００２２】
（実施形態）
［１．構成の説明］
以下、図面を参照しつつ、本発明の実施形態である線路保守作業支援システムを詳細に説明する。但し、発明の範囲は、図示例に限定されない。
【００２３】
［１−１．システム構成の説明］
本発明の実施形態の線路保守作業支援システムの構成について図１を参照して説明する。図１は、線路保守作業支援システム１００（以下、単にシステム１００と呼ぶ。）の機能をブロック図として表した概略構成図である。
図１に示すように、システム１００は、表示画面上の信号てこを選択した進路設定要求及び転換実行要求を送信すると共に受信した情報を表示する現場作業員が携帯する端末装置１、予め設定された連動図表情報を有し、進路設定に伴い連動して転換される分岐器等の情報を抽出して端末装置に送信して表示させ、必要に応じて分岐器や転てつ器の転換を行う保守用制御サーバ２、を有する構成である。
なお、連動図表情報に関しては、保守用制御サーバ２ではなく、端末装置１に予め設定するようにしてもよい。
システム１００において、端末装置１と保守用制御サーバ２は通信ネットワークＮにより互いに通信可能に接続される。具体的には、通信ネットワークＮは、インターネットや電気通信事業者等の電話回線網や携帯電話通信網等である。
【００２４】
端末装置１は、スマートフォン、タブレット端末、ＰＤＡ（Personal Digital Assistant）、携帯電話、ノート型ＰＣ等の現場作業員が携帯可能な装置である。このような端末装置１は通信ネットワークＮ（具体的には、端末装置１の通信回線や無線ＬＡＮ（Local Area Network）等）を用いてサーバ装置２との間で相互に通信を行う。
【００２５】
保守用制御サーバ２は、端末装置１から進路設定要求を受信した場合、予め設定された連動図表情報に基づき要求された進路に連動して転換される分岐器や転てつ器の情報を端末装置１に送信して表示させ、端末装置１から転換実行要求を受信した場合、分岐器や転てつ器の転換指示を列車集中制御装置（図示せず）に送信して分岐器や転てつ器の転換を行わせる。サーバ装置２は、ＰＣ、ＷＳ（Work Station）等の情報機器であってよい。
【００２６】
［１−２．端末装置１の構成の説明］
次に、端末装置１の詳細について説明する。
端末装置１は、制御部１１、操作部１２、表示部１３、記憶部１４、通信部１５を有する。また、端末装置１において、制御部１１、操作部１２、表示部１３、記憶部１４及び通信部１５は内部バス等により互いに接続される。
【００２７】
制御部１１は、端末装置１の動作を中央制御する。具体的には、制御部１１は、ＣＰＵ（Central Processing Unit）、ＲＯＭ（Read Only Memory）、ＲＡＭ（Random Access Memory）などを有しており、ＲＡＭの作業領域に展開されたＲＯＭや記憶部１４に記憶されたプログラムデータとＣＰＵとの協働により各部を統括制御する。
【００２８】
操作部１２は、ユーザからの操作入力を受け付け、当該操作入力に応じた操作信号を制御部１１へ出力する。例えば、操作部１２は、文字入力キー、数字入力キー、カーソルキー、その他各種機能に対応付けられたキーなどを有するキー入力部であってよい。また、スマートフォンやタブレット端末等のように操作部１２は、表示部１３と一体的に形成されたタッチパネルなどであってもよい。
【００２９】
表示部１３は、制御部１１から出力された表示制御信号に基づいた画像を表示画面に表示する。例えば、表示部１３は、ＬＣＤ（Liquid Crystal Display）、有機ＥＬ（Electro Luminescence）素子を用いたＦＰＤ（Flat Panel Display）などであってよい。また、スマートフォンやタブレット端末等のように表示部１３は、操作部１２と一体的に形成されたタッチパネルなどであってもよい。
【００３０】
記憶部１４は、プログラムデータや各種設定データ等のデータを制御部１１から読み書き可能に記憶する。例えば、記憶部１４は、ＨＤＤ（Hard Disk Drive）、半導体メモリなどであってよい。
【００３１】
通信部１５は、アンテナや通信回路を有し、制御部１１による制御の下で外部機器との間の無線通信や有線通信を行う。具体的には、通信部１５は、通信ネットワークＮを介してデータ通信を行う。
【００３２】
［１−３．保守用制御サーバ２の構成の説明］
次に、保守用制御サーバ２の詳細について説明する。
保守用制御サーバ２は、制御部２１、操作部２２、表示部２３、記憶部２４、通信部２５、連動図表情報が予め格納されたデータベース２６を有する。また、保守用制御サーバ２において、制御部２１、操作部２２、表示部２３、記憶部２４、通信部２５及びデータベース２６は内部バス等により互いに接続される。
【００３３】
制御部２１は、保守用制御サーバ２の動作を中央制御する。具体的には、制御部２１は、ＣＰＵ、ＲＯＭ、ＲＡＭなどを有しており、ＲＡＭの作業領域に展開されたＲＯＭや記憶部２４に記憶されたプログラムデータとＣＰＵとの協働により各部を統括制御する。
【００３４】
操作部２２は、ユーザからの操作入力を受け付け、当該操作に応じた操作信号を制御部２１へ出力する。例えば、操作部２２は、文字入力キー、数字入力キー、その他各種機能に対応付けられたキーを備えたキーボード、マウス等のポインティングデバイスなどであってよい。
【００３５】
表示部２３は、制御部２１から出力された表示制御信号に基づいた画像を表示画面に表示する。例えば、表示部２３は、ＣＲＴ（Cathode Ray Tube）やＬＣＤなどであってよい。
【００３６】
記憶部２４は、プログラムデータや各種設定データ等のデータを制御部２１から読み書き可能に記憶する。例えば、記憶部２４は、ＨＤＤ、半導体メモリなどであってよい。
【００３７】
通信部２５は、制御部２１の制御の下、所定の通信プロトコルを用いて通信ネットワークＮを介したデータ通信を行う。具体的には、通信部２５は、通信用ＩＣ（Integrated Circuit）と通信コネクタなどを有する通信インターフェイスである。
【００３８】
データベース２６は、予め設定された連動図表情報のデータを制御部２１から読み書き可能に記憶する。例えば、データベース２６は、ＨＤＤ、半導体メモリなどであってよい。
【００３９】
［２．動作の説明］
本発明の実施形態におけるシステム１００の具体的な動作の説明を図２〜図６を用いて詳細に行う。以下、説明の便宜上、端末装置１や保守用制御サーバ２の制御部が主体となる処理は、「端末装置１」、「保守用制御サーバ２」をその処理の主体として説明する。
【００４０】
［２−１．端末装置１の動作の説明］
ここで、端末装置１の動作について図２のフローチャートを用いて説明する。
端末装置１は、現場作業員が表示部に表示された配線略図の信号てこの選択操作を行ったか否かを判断する（ステップＳ２１）。
【００４１】
例えば、図３に示すように端末装置１の表示部１３には、保守作業を実施する駅構内等の配線略図が表示されており、当該配線略図の「○○方」の場内信号機の近傍には、この場内信号機の信号てこ２ＬＢ、２ＬＣ、２ＬＤが表示されている。
【００４２】
端末装置１は、信号てこの選択操作が行われていないと判断した場合（ステップＳ２１：Ｎｏ）、ステップＳ２１に戻り、信号てこの選択操作が行われたと判断した場合（ステップＳ２１：Ｙｅｓ）、選択された信号てこによる進路設定要求を保守用制御サーバ２に送信する（ステップＳ２２）。
【００４３】
例えば、現場作業員は、図３のように端末装置１の表示部１３に表示されている配線略図に配置された複数の信号てこの中から、進路設定要求を行いたい信号てこを選択して進路設定要求を行う。より具体的には、信号てこ２ＬＣをクリック若しくはタップすることにより信号てこを選択し、「○○方」の本線から３番線に進行する進路を要求する。
【００４４】
そして、端末装置１は、保守用制御サーバ２から連動する分岐器等の情報を受信したか否かを判断し（ステップＳ２３）、連動する分岐器等の情報を受信していないと判断した場合（ステップＳ２３：Ｎｏ）、ステップＳ２３に戻り、連動する分岐器等の情報を受信したと判断した場合（ステップＳ２３：Ｙｅｓ）、受信した情報に基づき進路設定により連動して転換される全ての分岐器等の情報を識別可能なように表示する（ステップＳ２４）。
【００４５】
例えば、図４に示すように、端末装置１は、現場作業員により信号てこ２ＬＣが選択され進路設定要求を行った結果受信した情報に基づき、当該信号てこに連動して転換される全ての分岐器等を認識できるように、ＰＴ４０１、ＰＴ４０２、ＰＴ４０３、ＰＴ４０４、ＰＴ４０５、ＰＴ４０６、ＰＴ４０７、ＰＴ４０８、ＰＴ４０９及びＰＴ４１０に示すような四角の識別子で、分岐器等を囲んで端末装置１の表示部１３に表示させる。
また、端末装置１は、要求された進路ＲＴ４１（「○○方」の本線から３番線に進行する進路）も太い線あるいは異なる表示色で表示して現場作業員に識別可能に表示させる。
【００４６】
すなわち、現場作業員は、選択した信号てこに連動して転換される全ての分岐器等、具体的には、要求された進路ＲＴ４１に直接関係する分岐器等ＰＴ４０１〜ＰＴ４０３と、要求された進路ＲＴ４１に直接関係（意図しない）しない分岐器等ＰＴ４０４〜ＰＴ４１０と、要求した進路ＲＴ４１の情報を、端末装置１の表示部１３に表示された画面から識別できる。
【００４７】
このため、転換を行いたい特定の分岐器等ＰＴ４０１〜ＰＴ４０３のみならず、連動して転換される他の分岐器等ＰＴ４０４〜ＰＴ４１０も併せて確認できて、意図しない分岐器等の転換を事前に把握することができ、保守作業時の進路設定要求に際して安全性を向上させることができる。
【００４８】
また、選択した信号てこに連動して転換される全ての分岐器等、具体的には、要求された進路ＲＴ４１に直接関係（意図しない）しない分岐器等が識別できることにより、不必要な信号てこの選択操作が削減できて、保守作業の作業効率を向上させることができる。
【００４９】
例えば、図５に示す連動関係を有する保守作業現場で、現場作業員が、ある進路を設定するためには、２１号、２４号、２５号、２６号の４つの分岐器等を転換させる必要があり、このため、場内信号機の信号てこ１ＬＢ及び出発信号機の信号てこ６Ｌの２つの信号てこを選択する必要があると考えていた場合を想定する。
【００５０】
そして、現場作業員が端末装置１の画面で、場内信号機の信号てこ１ＬＢを選択した場合、図５に示す連動表に基づき、端末装置１の表示部１３には、２１号、２４号、２５号、２６号の４つの分岐器等が連動して転換する情報が表示される。
【００５１】
この場合、ある進路を設定するために必要な、２１号、２４号、２５号、２６号の４つの分岐器等が、場内信号機の信号てこ１ＬＢの選択のみにより、一括して転換することが分かる。このため、実質的に出発信号機の信号てこ６Ｌ（２４号、２５号、２６号の３つの分岐器等が転換する信号てこ）を選択する必要がないことが認識でき、不必要な信号てこの選択操作が削減できて、保守作業の作業効率を向上させることができる。
【００５２】
この状態で、端末装置１は、現場作業員が表示部１３に表示された進路の転換実行要求の操作を行ったか否かを判断し（ステップＳ２５）、転換実行要求の操作を行っていないと判断した場合（ステップＳ２５：Ｎｏ）、ステップＳ２１に戻り、再度、進路設定要求のための信号てこの選択を受け付けるまで待機する。
【００５３】
例えば、図４に示すように、現場作業員が、端末装置１の表示部１３に表示された「キャンセル」アイコンＢＴ４２をクリック若しくはタップすることにより操作した場合、ステップＳ２１に戻り、再度、進路設定要求のための信号てこの選択を受け付けるまで待機する。また、携帯端末１は、保守用制御サーバ２に「進路設定要求のキャンセル」を送信する。
【００５４】
一方、端末装置１は、現場作業員が表示部１３に表示された進路の転換実行要求の操作を行ったと判断した場合（ステップＳ２５：Ｙｅｓ）、選択した信号てこに連動して転換される全ての分岐器等の転換実行要求を保守用制御サーバ２に送信する（ステップＳ２６）。
【００５５】
例えば、図４に示すように、現場作業員が、端末装置１の表示部１３に表示された「転換実行要求」アイコンＢＴ４１をクリック若しくはタップすることにより操作した場合、図５における、四角の識別子で囲んで表示された全ての分岐器等（ＰＴ４０１〜ＰＴ４１０）を転換する転換実行要求が保守用制御サーバ２に送信される。
【００５６】
すなわち、現場作業員は、選択した信号てこにより、端末装置１の表示部１３に表示された、当該信号てこに連動して転換される全ての分岐器等（ＰＴ４０１〜ＰＴ４１０）や要求した進路ＲＴ４１の情報を確認して、安全上問題がないと判断すれば、転換実行要求を保守用制御サーバ２に送信して進路を確定し、支障があると判断した場合には、転換実行要求を行わず、再度、進路設定要求のための信号てこの選択を行うことにより、保守作業時の進路設定要求に際して安全性を向上させることができる。
【００５７】
［２−２．保守用制御サーバ２の動作の説明］
また、ここで、保守用制御サーバ２の動作について図６のフローチャートを用いて説明する。
【００５８】
保守用制御サーバ２は、通信部２５が端末装置１から進路設定要求を受信したか否かを判断する（ステップＳ６１）。もし、保守用制御サーバ２が、端末装置１から進路設定要求を受信していないと判断した場合（ステップＳ６１：Ｎｏ）、ステップＳ６１に戻る。
【００５９】
一方、保守用制御サーバ２が、端末装置１から進路設定要求を受信したと判断した場合（ステップＳ６１：Ｙｅｓ）、保守用制御サーバ２は、受信した進路設定要求、具体的には選択された信号てこに基づき、データベース２６に予め格納されている連動図表情報を参照し、選択された信号てこにより連動して転換される全ての分岐器等の情報を抽出し（ステップＳ６２）、抽出した選択された信号てこにより連動して転換される全ての分岐器等の情報を端末装置１に送信する（ステップＳ６３）。
【００６０】
そして、保守用制御サーバ２は、端末装置１から進路設定要求のキャンセルを受信したか否かを判断し（ステップＳ６４）、端末装置１から進路設定要求のキャンセルを受信したと判断した場合（ステップＳ６４：Ｙｅｓ）、ステップＳ６１に戻り、端末装置１から進路設定要求のキャンセルを受信していない判断した場合（ステップＳ６４：Ｎｏ）、ステップＳ６５に進む。
【００６１】
最後に、保守用制御サーバ２は、端末装置１から転換実行要求を受信したか否かを判断し（ステップＳ６５）、端末装置１から転換実行要求を受信していないと判断した場合（ステップＳ６５：Ｎｏ）、ステップＳ６５に戻り、端末装置１から転換実行要求を受信したと判断した場合（ステップＳ６５：Ｙｅｓ）、選択された信号てこにより連動して転換される全ての分岐器等の転換指示を列車集中制御装置（図示せず）に送信し（ステップＳ６６）、列車集中制御装置（図示せず）に分岐器等の転換を実行させる。
【００６２】
以上のように、現場作業員が携帯する端末装置を用いて直接進路の設定を行う線路保守作業支援システムにおいて、表示部の表示画面上の信号てこを選択した進路設定要求及び転換実行要求を送信すると共に受信した情報を表示部に表示する端末装置と、端末装置から進路設定要求を受信した場合、予め設定された連動図表情報に基づき要求された進路に連動して転換される分岐器等の情報を端末装置に送信して表示させ、端末装置から転換実行要求を受信した場合、分岐器等の転換指示を列車集中制御装置に送信する保守用制御サーバとを備えることにより、予め設定された連動図表情報に基づき、当該進路設定より連動して転換される全ての分岐器等の情報が表示部に表示されるので、意図しない分岐器等の転換を事前に把握することができ、保守作業時の進路設定要求に際して安全性を向上させることができる。
【００６３】
また、選択した信号てこに連動して転換される全ての分岐器等の情報を、端末装置の表示部に表示された画面から識別できるので、連動して転換される全ての分岐器等、具体的には、要求した進路に直接関係（意図しない）しない分岐器等が識別できることにより、少ない信号てこの選択だけで、多くの信号てこを選択した場合と同じ分岐器等の転換を実行できる場合を認識できるので、不必要な信号てこの選択操作が削減できて、保守作業の作業効率を向上させることができる。
【００６４】
（変形例１）
［３−１．信号てこの有効範囲の明示］
実施形態の説明に際しては、端末装置１の表示部１３に表示されている配線略図に配置された複数の信号てこの中から、進路設定要求を行いたい信号てこを選択して進路設定要求を行っていたが、端末装置１の表示部１３の大きさによっては、例えば、タブレット端末等の表示画面が比較的小さい端末装置１に、配線略図を表示させた場合、当該配線略図に配置される信号てこ（信号てこ名）の大きさも相対的に小さくなる。
【００６５】
配線略図に配置される信号てこ（信号てこ名）の大きさが小さくなると、現場作業員がタップ（クリックやタッチ等も含む）する位置がわずかにずれることにより、本来選択したい信号てこではなく、隣接する信号てこを誤って選択してしまう場合もあり、操作性が問題になる場合がある。
【００６６】
例えば、図３における場内信号機の信号てこ２ＬＣを選択するつもりであっても、隣接する信号てこ２ＬＤを誤って選択してしまう可能がある。
【００６７】
勿論、このような場合には、信号てこの周辺を拡大表示させることにより、選択したい信号てこを確実に選択することができるものの、当該拡大表示により配線略図全体を俯瞰することができなくなり、再度縮小表示して配線略図全体を確認しなければ、選択した信号てこに連動して転換される全ての分岐器等の情報を把握することができないので、画面の拡大縮小の操作を繰り返さなければならず、作業効率が悪くなってしまう。
【００６８】
このため、端末装置１に、表示部１３に表示させる信号てこに対するタップ等の操作の有効範囲（枠で囲む）を表示させると共に、当該有効範囲をタップ等で操作した場合は信号てこに対する操作として認識させてもよい。
【００６９】
例えば、端末装置１は、図７の破線部分を拡大した拡大図ＥＸ７１に示すように、図４における配線略図の「○○方」の場内信号機の３つの信号てこ２ＬＢ、２ＬＣ、２ＬＤの操作の有効範囲ＤＭ７１、ＤＭ７２、ＤＭ７３を枠で囲んで表示させると共に、当該有効範囲をタップ等で操作した場合は信号てこ２ＬＢ、２ＬＣ、２ＬＤに対する操作として認識する。
【００７０】
図７に示すように、信号てこ２ＬＢ、２ＬＣ、２ＬＤの大きさと比較して、枠で囲まれた操作の有効範囲ＤＭ７１、ＤＭ７２、ＤＭ７３は広くなるので、誤操作を防止することができ操作性を向上させることができる。
【００７１】
すなわち、特定の信号てこに対するタップ等の操作の有効範囲が分かるので、隣接する他の信号てこを操作してしまうことを防止でき、タップミスによる誤操作を抑制でき、保守作業時の進路設定要求に際して安全性を向上させると共に作業効率を向上させることができる。
【００７２】
（変形例２）
［３−２．信号てこの有効範囲の優先度］
変形例１の説明では、図７に示すように、表示画面の大きさの関係で、操作の有効範囲ＤＭ７１、ＤＭ７２、ＤＭ７３がそれぞれ重複してしまう場合がある。このため、操作の有効範囲に優先度を持たせて、誤操作を防止してもよい。
【００７３】
例えば、図８（ａ）に示すように、端末装置１は、操作の有効範囲ＤＭ８１、ＤＭ８２、ＤＭ８３がそれぞれ重複した場合、表示画面上、重複部分では操作の有効範囲ＤＭ８２を前面に表示し、操作の有効範囲ＤＭ８１、ＤＭ８３は操作の有効範囲ＤＭ８２の背面に表示させることにより、有効範囲ＤＭ８２を他の有効範囲よりも優先させる。
【００７４】
すなわち、図８（ａ）においては、端末装置１は、操作の有効範囲ＤＭ８２と、操作の有効範囲ＤＭ８１及びＤＭ８３との重複部分が操作された場合、操作の有効範囲ＤＭ８２の操作として認識する。
【００７５】
また、図８（ａ）においては、操作の有効範囲を枠で囲むのではなく、優先度（前面、背面）の区別がつきやすいように、操作の有効範囲を塗りつぶしてもよい。
【００７６】
また、図８（ｂ）のように、操作の有効範囲ＤＭ８４、ＤＭ８５、ＤＭ８６がそれぞれ重複しないように、楕円等の図形で囲んでもよい。
【００７７】
さらに、図８（ｃ）のように、操作の有効範囲ＤＭ８７、ＤＭ８８、ＤＭ８９の重複部分ＤＣ８１、ＤＣ８２は不感帯として、操作の有効範囲から除外してもよい。
【００７８】
すなわち、操作の有効範囲の重複部分に優先度をつける、無視する、重複しないようにすることにより、タップミスによる誤操作を抑制でき、保守作業時の進路設定要求に際して安全性を向上させると共に作業効率を向上させることができる。
【００７９】
なお、実施形態の説明に際しては、保守用制御サーバ２に連動図表情報を記憶していたが、端末装置１側の記憶部１４に連動図表情報を記憶させてもよい。
すなわち、端末装置１は、表示画面上の信号てこを選択した進路設定要求が操作された場合、予め記憶部１４に記憶されている連動図表情報に基づき要求された進路に連動して転換される分岐器等の情報を表示部に表示させ、当該進路の転換実行要求が操作された場合には、分岐器等の情報と共に転換実行要求を保守用制御サーバ２に送信する。そして、保守用制御サーバ２は、受信した情報に基づき連動して転換される分岐器等の転換指示を列車集中制御装置に送信する。
【００８０】
この場合、端末装置１側の記憶部１４に記憶された連動図表情報に基づき進路設定より連動して転換する全ての分岐器等の情報が表示部に表示されることになり、端末装置１から保守用制御サーバ２への進路設定要求の送信が生じないので、保守用制御サーバ２における受信した進路設定要求の処理や、要求された進路に連動して転換される分岐器や転てつ器の情報の送信の処理が発生せず、保守用制御サーバ２の負荷を低減することができる。
但し、端末装置１側の記憶部１４に連動図表情報を記憶させる場合、端末装置１の記憶部１４の記憶容量の関係から全ての連動図表情報を記憶させるのではなく、保守作業を行う現場の連動図表情報のみを予め記憶させておくことが好ましい。
【００８１】
また、実施形態の説明に際しては、端末装置１で、連動図表情報に基づき要求された進路に連動して転換される分岐器等の情報を表示部に表示していたが、保守用制御サーバ２の表示部２３に、連動図表情報に基づき要求された進路に連動して転換される分岐器等の情報を表示させてもよい。
この場合、保守用制御サーバ２側でも、進路設定より連動して転換される全ての分岐器等の情報が表示部２３に表示されるので、進路設定より連動して転換する全ての分岐器等を把握できる。
【００８２】
また、実施形態等の説明に際しては、端末装置１で、連動図表情報に基づき要求された進路に連動して転換される分岐器等の情報を表示部に表示していたが、端末装置１若しくは保守用制御サーバ２側で、連動図表情報に基づき連動して転換される分岐器等の転換が定位若しくは反位のどちらであるかの情報も表示部に併せて表示させてもよい。
例えば、分岐器等の転換が定位若しくは反位のどちらであるかの情報として、分岐器等が転換する方向に矢印を表示する。
【００８３】
また、分岐器等の転換が定位若しくは反位のどちらであるかの情報として、分岐器等が転換する方向に矢印を表示するのみではなく、定位若しくは反位に応じて当該矢印を色分け表示してもよい。あるいは、図４におけるＰＴ４０１、ＰＴ４０２、ＰＴ４０３、ＰＴ４０４、ＰＴ４０５、ＰＴ４０６、ＰＴ４０７、ＰＴ４０８、ＰＴ４０９及びＰＴ４１０に示すような四角の識別子の枠を色分け表示してもよい。
例えば、分岐器等が定位に転換する場合は青色で表示、反位に転換する場合は黄色で表示させる。勿論、図４における四角の識別子の内側を青色若しくは黄色で塗りつぶすものであってもよい。
【００８４】
この場合には、進路設定より連動して転換される全ての分岐器等の転換方向の情報が表示部に表示され、進路設定より連動して転換される全ての分岐器等の転換方向の情報を把握できるので、意図しない分岐器等の転換方向の情報を事前に把握することができ、保守作業時の進路設定要求に際して安全性を向上させることができる。
【００８５】
また、実施形態の説明に際しては、現場作業員が携帯可能な端末装置１に、予め設定された連動図表情報に基づき、当該進路設定より連動して転換される全ての分岐器等の情報を表示させていたが、列車ダイヤデータを受信する機能と、受信した列車ダイヤデータに従ったダイヤを表示させて作業計画を登録する機能と、作業実施の２日前に確定列車ダイヤデータと作業計画を照合して、保守作業の実施の是非について最終チェックする機能とを有する保守区端末に、当該進路設定より連動して転換される全ての分岐器等の情報を表示させてもよい。
【００８６】
この場合には、作業内容等を入力する段階（作業の計画段階）で、進路設定より連動して転換される全ての分岐器等の転換方向の情報が表示部に表示され、進路設定より連動して転換される全ての分岐器等の転換方向の情報を把握できるので、意図しない分岐器等の転換方向の情報を事前に把握することができ、保守作業時の進路設定要求に際して安全性を向上させることができる。
【００８７】
また、実施形態等の説明に際しては、端末装置１（或いは、保守用制御サーバ２）では、連動図表情報に基づき要求された進路に連動して転換される分岐器等の情報を表示部に表示していたが、音声出力部を備えて、音声出力により選択した信号てこに連動して転換される全ての分岐器等の情報を通知するものであってもよい。
【符号の説明】
【００８８】
１  端末装置
１１  制御部
１２  操作部
１３  表示部
１４  記憶部
１５  通信部
２  保守用制御サーバ
２１  制御部
２２  操作部
２３  表示部
２４  記憶部
２５  通信部
２６  データベース
Ｎ  ネットワーク
【図１】
0006541533.tif 000002
【図２】
0006541533.tif 000003
【図３】
0006541533.tif 000004
【図４】
0006541533.tif 000005
【図５】
0006541533.tif 000006
【図６】
0006541533.tif 000007
【図７】
0006541533.tif 000008
【図８】
0006541533.tif 000009